(57)【特許請求の範囲】
【請求項１】
遊技盤と、該遊技盤を覆う一対の透明板を保持する開閉自在な前枠とを備えた遊技機本体を有し、該一対の透明板は互いに離間した状態で該前枠に保持され、かつ該一対の透明板間の空間は該前枠の内周面によって囲繞されることにより密閉空間とされているパチンコ遊技機において、
該密閉空間内に配置された吸湿体と、
該密閉空間内に配置された、該密閉空間内の湿度を検出する湿度検知部と、
前記透明板の所定位置に表示光を照射して該表示光に基づく画像を虚像として視認可能に表示させるヘッドアップディスプレイ式表示手段と、
前記湿度検知部で検知された湿度情報を湿度情報データとして記憶保持する湿度情報記憶保持手段と、
前記湿度情報記憶保持手段で記憶保持された湿度情報データに基づき、前記ヘッドアップディスプレイ式表示手段を介して前記透明板に湿度情報を湿度情報画像として表示させる制御内容を具備する湿度情報画像表示手段と
を備えることを特徴とするパチンコ遊技機。
【請求項２】
ヘッドアップディスプレイ式表示手段は、
透明板の、前枠が遊技機本体に対して閉鎖された状態で遊技盤側となる裏面側に、湿度情報画像を表示するものである請求項１に記載のパチンコ遊技機。
【請求項３】
ヘッドアップディスプレイ式表示手段は、
透明板の、前枠が遊技機本体に対して閉鎖された状態で遊技者側となる表面側に、湿度情報画像を表示するものである請求項１に記載のパチンコ遊技機。
【請求項４】
遊技機本体に配設された、遊技者が遊技状況に応じて操作する演出操作部と、
該演出操作部の操作の有無を検知する演出操作部検知手段とを備えた構成にあって、
湿度情報画像表示手段は、
透明板に湿度情報画像が表示されている状態で、前記演出操作部検知手段が前記演出操作部が操作されたことを検知すると該湿度情報画像を非表示とし、一方、湿度情報画像が非表示の状態で、前記演出操作部検知手段が前記演出操作部が操作されたことを検知すると、該演出操作部が操作された時に対応する湿度情報にかかる湿度情報画像を表示する制御内容を具備したものである請求項３に記載のパチンコ遊技機。
【請求項５】
湿度情報画像表示手段は、
前記吸湿体にかかる吸湿体情報を吸湿体情報画像として表示する制御内容を具備したものである請求項１乃至請求項４のいずれか１項に記載のパチンコ遊技機。
【発明の詳細な説明】
【技術分野】
【０００１】
本発明は、遊技盤の前面に配置される一対の透明板間に形成された密閉空間が調湿されているパチンコ遊技機に関するものである。
【背景技術】
【０００２】
従来、結露防止等の目的で、遊技盤の前面に配置される一対の透明板間に形成された密閉空間に吸湿剤や乾燥剤を配して、該密閉空間の湿度を調整している構成はよく知られている（特許文献１〜８）。
【０００３】
例えば、特許文献１に開示された構成は、ガラス等の透明板を固定する枠体内周部に、保持板部により吸湿手段を保持し、かつ該保持板部には、該吸湿手段の保持側とは逆側に通気孔を設けた構成である。ここで、吸湿手段としては、例えば吸湿剤や乾燥剤等が例示される。かかる構成とすることにより、枠体と各透明板とによって囲まれた空間内の水分が該吸湿手段の吸湿作用によって吸収され、結露の発生等が抑制される。
【先行技術文献】
【特許文献】
【０００４】
【特許文献１】特開２００４−３２１７１５号公報
【特許文献２】特開２００６−１８１０８１号公報
【特許文献３】特開２００７−１１７５１７号公報
【特許文献４】特開２００７−１９０２６３号公報
【特許文献５】特開２００７−２５９９２６号公報
【特許文献６】特開２００８−５８６１号公報
【特許文献７】特開２０１０−２３４０９０号公報
【特許文献８】特開２０１１−１３１０８４号公報
【発明の概要】
【発明が解決しようとする課題】
【０００５】
しかしながら、上記従来構成は、吸湿手段の消費期限が過ぎると、吸湿効果がほとんど得られず、保守管理作業者によって適正時期に交換することが必要となるが、この吸湿手段の消費期限、すなわち該吸湿手段の寿命を遊技機ごとに適切なタイミングで容易に確認することができない、という問題があった。このため、吸湿手段の交換時期にムラが生じやすく、適切な交換作業が可能となる構成が求められていた。
【０００６】
そこで、本発明は、保守管理作業者が、吸湿体（乾燥剤を含む）の寿命を遊技台ごとに容易に確認することができ、しかも遊技領域の視認性を妨げないパチンコ遊技機を提供することを目的とする。
【課題を解決するための手段】
【０００７】
本発明は、遊技盤と、該遊技盤を覆う一対の透明板を保持する開閉自在な前枠とを備えた遊技機本体を有し、該一対の透明板は互いに離間した状態で該前枠に保持され、かつ該一対の透明板間の空間は該前枠の内周面によって囲繞されることにより密閉空間とされているパチンコ遊技機において、該密閉空間内に配置された吸湿体と、該密閉空間内に配置された、該密閉空間内の湿度を検出する湿度検知部と、前記透明板の所定位置に表示光を照射して該表示光に基づく画像を虚像として視認可能に表示させるヘッドアップディスプレイ式表示手段と、前記湿度検知部で検知された湿度情報を湿度情報データとして記憶保持する湿度情報記憶保持手段と、前記湿度情報記憶保持手段で記憶保持された湿度情報データに基づき、前記ヘッドアップディスプレイ式表示手段を介して前記透明板に湿度情報を湿度情報画像として表示させる制御内容を具備する湿度情報画像表示手段とを備えることを特徴とするパチンコ遊技機である。
【０００８】
かかる構成とすることにより、密閉空間内の湿度が湿度情報画像として確認することができるため、保守管理作業者の作業負担が軽減され、適切な時期に視覚を通じて吸湿体を交換することが可能となる。
【０００９】
また、前記ヘッドアップディスプレイ式表示手段は、透明板の、前枠が遊技機本体に対して閉鎖された状態で遊技盤側となる裏面側に、湿度情報画像を表示するものであってもよい。
【００１０】
かかる構成とすることにより、前枠を開放して当該遊技機の保守管理を行う保守管理作業者が、当該遊技機の前記密閉空間内における湿度状況を容易に知ることができる。なお、前枠が閉鎖された状態では該湿度情報画像は遊技者側から視認できないため、美観上の観点に基づき、遊技者にとって不要な情報を遊技者の視界の中に入れてしまうことを防止できる。
【００１１】
また、前記ヘッドアップディスプレイ式表示手段は、透明板の、前枠が遊技機本体に対して閉鎖された状態で遊技者側となる表面側に、湿度情報画像を表示するものであってもよい。
【００１２】
かかる構成とすることにより、前枠が閉鎖された状態であっても保守管理作業者は当該遊技機の前記密閉空間内における湿度状況を瞬時に知ることができる。このため、湿度状況の確認のために前枠を開放する等の煩わしい作業が不要となる。なお、前記湿度情報画像を表示する構成として、ヘッドアップディスプレイ式を採用したため、該湿度情報画像が遊技球が転動流下する遊技領域の視認性を妨げたりすることがないため、パチンコ遊技機の興趣性が十分に維持される。
【００１３】
また、遊技機本体に配設された、遊技者が遊技状況に応じて操作する演出操作部と、該演出操作部の操作の有無を検知する演出操作部検知手段とを備えた構成にあって、湿度情報画像表示手段は、透明板に湿度情報画像が表示されている状態で、前記演出操作部検知手段が前記演出操作部が操作されたことを検知すると該湿度情報画像を非表示とし、一方、湿度情報画像が非表示の状態で、前記演出操作部検知手段が前記演出操作部が操作されたことを検知すると、該演出操作部が操作された時に対応する湿度情報にかかる湿度情報画像を表示する制御内容を具備した構成が提案される。
【００１４】
かかる構成とすることにより、遊技者にとって不要であるが、保守管理作業者にとっては必要な湿度情報画像を、適切なタイミングで表示あるいは非表示とすることができる。
【００１５】
また、前記湿度情報画像表示手段は、前記吸湿体にかかる吸湿体情報を吸湿体情報画像として表示する制御内容を具備したものが提案される。
【００１６】
かかる構成とすることにより、保守管理作業者は、例えば吸湿体の消費期限等を容易に知ることが可能となり、適切なタイミングで迅速に吸湿体の交換作業が行える。
【発明の効果】
【００１７】
本発明のパチンコ遊技機は、ヘッドアップディスプレイ式表示手段を備えた構成にあって、該ヘッドアップディスプレイ式表示手段により迅速かつ容易に透明板間の密閉空間における湿度状況を知ることができ、遊技領域を侵食することなく、保守管理作業者にとって必要な情報を報知することができ、これにより保守管理作業の負担が大幅に軽減される効果がある。
【図面の簡単な説明】
【００１８】
【図１】パチンコ遊技機１の外観斜視図である。
【図２】遊技盤１０の正面図である。
【図３】ヘッドアップディスプレイ式表示装置４０の概要を示す説明図である。
【図４】遊技を制御する制御回路を示すブロック図である。
【図５】湿度情報画像４５が表示されたパチンコ遊技機１の正面図である。
【図６】他の形態のヘッドアップディスプレイ式表示装置４０の概要を示す説明図である。
【図７】他の形態であって、演出操作部２２の操作タイミングと遊技状況の変化を示すタイミングチャート図である。
【発明を実施するための形態】
【００１９】
本実施例のパチンコ遊技機１は、図１に示すように、遊技場設備に固定される外枠２と、該外枠２の前面開口部を覆う遊技機本体３とからなる。
【００２０】
前記遊技機本体３は、ヒンジ部材４を介して前記外枠２に開閉可能に枢着されている前枠５を備え、該前枠５の中央上部に形成された略円形の開口部６に、遊技盤１０が取り付けられている。
【００２１】
また、前記前枠５の開口部６には、２枚のガラス製の透明板３０Ａ，３０Ｂ（図３参照）が前後に配置されて配設されており、該透明板３０Ａ，３０Ｂによって前記遊技盤１０が覆われた状態となっている。そして、該透明板３０Ａ，３０Ｂを介して該遊技盤１０が遊技者側から視認可能となっている。
【００２２】
また、前記前枠５の下部には、上受皿７と下受皿８とが上下に列設されており、該下受皿８の右側方に発射ハンドル９が突設されている。さらに、前記前枠５の所定位置には、スピーカ（図示省略）が複数内蔵されている。
【００２３】
また、前記下受皿８の左側方には、遊技者が遊技状況に合わせて操作することができる演出操作部（いわゆるチャンスボタン）２２が配設されている。さらに、該演出操作部２２の天頂部には、遊技者が視認可能な発光部２３が設けられている。なお、該発光部２３には、発光部用ＬＥＤ２３Ａが内蔵されており、該発光部用ＬＥＤ２３Ａが、適宜、点灯・点滅する。
【００２４】
図２に示すように、遊技盤１０の前面には、遊技球が転動流下する略円形の遊技領域１２が区画形成されている。また、該遊技領域１２の中央には樹脂製のセンターケース１３が配設されている。さらに、該センターケース１３には、画像表示装置１４が配設されている。該画像表示装置１４は、表示画面１５を備え、該表示画面１５で主に演出画像を表示し、ＣＲＴや液晶表示器、有機ＥＬなどによって構成されている。
【００２５】
また、前記センターケース１３には、演出用ＬＥＤ１６が多数配設されている。また、該センターケース１３には、入賞装置１７ａ、演出時に回転駆動する演出用電動役物１８、及び特別図柄表示装置１９等が所定位置に、複数組み付けられている。
【００２６】
また、前記遊技領域１２におけるセンターケース１３の周囲には、入賞装置１７ｂ〜１７ｄや、ゲート装置２１、遊技釘２０などの各種の遊技部材が設けられている。
【００２７】
上述したパチンコ遊技機１は、既存一般のパチンコ遊技機と同様の遊技内容を有している。すなわち、前記入賞装置１７ｂに設けられた始動口に遊技球が入賞すると、前記特別図柄表示装置１９が点滅して特別図柄が変動表示され、一定時間経過後に変動表示が停止する。そして、変動停止した時の特別図柄の停止態様が所定の大当り態様であった場合には、大入賞口を備える前記入賞装置１７ｃが所定時間開閉作動し、該入賞装置１７ｃの開閉作動で構成された大当り遊技が実行される。
【００２８】
また、上記画像表示装置１４の表示画面１５には、遊技進行に合わせて図柄やキャラクターなどの演出画像が表示される。このような演出画像としては、例えば、特別図柄が変動表示されている間に表示画面１５で表示される演出図柄や、所定条件の成立を契機として時折表示されるリーチ演出画像、あるいは予告演出画像などがある。さらに、大当り遊技中に表示されるものとして、大当り演出画像がある。
【００２９】
また、これらのような演出画像の表示と並行して、前記演出用ＬＥＤ１６が発光、点滅すると共に、前記演出用電動役物１８が適宜のタイミングで駆動する。さらに、これらと並行するように、スピーカから逐次演出用音声が出力されることで、画像、光、音声などを組み合わせた盛大な演出が行われる。
【００３０】
さらに、遊技進行中に前記表示画面１５にて前記演出操作部２２の操作を促すメッセージ等が適宜演出表示される。かかる構成により、遊技状況に応じて、遊技者が該演出操作部２２を自ら所定タイミングで連打させる等の遊技が行われ、これにより、該演出操作部２２を利用した変化に富んだ遊技内容が適宜実行される。
【００３１】
以下、図３に従って、前枠５の構造についてさらに詳述する。
図３に示すように、前記前枠５の内周面には、透明板３０Ａ，３０Ｂが介装される二条の凹溝１１，１１が環状に形成されており、該凹溝１１内にゴムパッキン２５が配設された上で、前側（遊技者側）の透明板３０Ａと、後側（遊技盤側）の透明板３０Ｂとが互いに離間した状態で該前枠５に取り付けられている。そして、該前側の透明板３０Ａと該後側の透明板３０Ｂとの間に形成された空間は、該前枠５の内周面によって囲繞されることで密閉空間Ｘとされている。
【００３２】
さらに、前記透明板３０Ａ，３０Ｂに結露が生じることを防止する目的で、前記密閉空間Ｘ内には、公知の吸湿剤や乾燥剤で構成される吸湿体Ｙが配置されている。かかる構成とすることにより、吸湿体Ｙにより密閉空間Ｘが所定湿度に調湿されている。なお、前記一対の透明板３０Ａ，３０Ｂを保持する前枠５の構造は、上記構成に限定されず、公知の保持構造が好適に採用可能である。また、前記吸湿体Ｙを密閉空間Ｘに臨ませて該密閉空間Ｘを除湿又は乾燥させる構成も、上記構成に限定されず、公知の構成が好適に採用可能である。
【００３３】
加えて、前記密閉空間Ｘ内には、湿度センサ５０も配置されている。これにより、該湿度センサ５０によって、該密閉空間Ｘ内の湿度が検知可能となっている。
【００３４】
なお、前記湿度センサ５０により、本発明に係る湿度検知部が構成される。該湿度センサ５０は、公知のセンサが好適に採用可能である。
【００３５】
さらに、図３に示すように、前記遊技機本体３には、ヘッドアップディスプレイ式表示装置４０が備え付けられている。具体的には、該前枠５の内周面上であって前記後側の透明板３０Ｂの直後方に、該ヘッドアップディスプレイ式表示装置４０専用の表示器４１が配置されている。さらに、該表示器４１は、該後側の透明板３０Ｂの裏面にあらかじめ形成された反射部３５に、所定画像を表す表示光が照射できるようにあらかじめ設定されており、照射された該表示光が該反射部３５で反射することにより、後側の透明板３０Ｂ側にいる者（通常は、保守管理作業者）に対して、該画像を虚像として該透明板３０Ｂの裏面に表示可能となっている。
【００３６】
なお、前記ヘッドアップディスプレイ式表示装置４０により、本発明にかかるヘッドアップディスプレイ式表示手段が構成される。ここで、本実地例における該ヘッドアップディスプレイ式表示装置４０は、公知技術が好適に採用可能であり、上記構成に限定されることはない。例えば、前記表示器４１が配置される位置は他の位置であってもよい。
【００３７】
次に、本実施例のパチンコ遊技機１の遊技作動を制御する制御回路を、図４を参照して説明する。
【００３８】
マイクロコンピュータを構成する主制御基板６０には、パチンコ遊技機１の遊技作動等を制御するための基板回路が設けられている。この主制御基板６０は、遊技の統括的な制御を実行するものである。この基板回路上には、主制御用中央制御装置ＣＰＵが配設される。この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）とを介して接続され、主制御基板６０の基板回路を構成している。
【００３９】
前記記憶装置ＲＯＭには、制御プログラムや、抽選の当落判定や演出態様等を決定するための各種テーブルが格納されている。一方、前記記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００４０】
さらに、前記主制御基板６０の基板回路には、所定のクロックパルスを出力するクロック装置（図示省略）が設けられ、前記主制御用中央制御装置ＣＰＵに接続されている。そして、該主制御用中央制御装置ＣＰＵは、一定間隔のクロックパルスによって時系列的に演算処理を行い、一連の処理作動を順次実行する。また、該クロック装置により出力されたクロックパルスをカウントして、時間を計測するタイマＴＭも接続されている。
【００４１】
ここで、前記主制御用中央制御装置ＣＰＵ、及び後述する各制御基板６２〜６８に設置されている各中央制御装置ＣＰＵは、所定のデータの処理を行う演算ユニット（ＡＬＣ）を連成した演算装置と、該演算装置に入出力するデータや読み込んだ命令を保管しておくレジスタと、命令を解読するデコーダ等によって構成されている。そして、前記主制御用中央制御装置ＣＰＵは、所定の形式で生成したデータ又はコマンドを四つの制御基板６２，６３，６４，６８へ出力し、これらの制御基板６２，６３，６４，６８の中央制御装置ＣＰＵがこのデータ等に従って所定の制御を処理実行する。
【００４２】
また、前記主制御基板６０の基板回路には、前記主制御用中央制御装置ＣＰＵが周辺機器とデータ通信を行う入力ポート（図示省略）及び出力ポート（図示省略）が設けられており、この出力ポートを介して前記主制御基板６０からの制御指令が、演出制御基板６２、図柄制御基板６３、払出制御基板６４、及び発射制御基板６８の各入力ポートに向けて出力されるように接続されている。
【００４３】
また、前記主制御基板６０の入力ポートには、盤面中継基板６１を介して、前記入賞装置１７ａ〜１７ｄ、前記演出用電動役物１８や前記ゲート装置２１、前記演出操作部２２、及び湿度センサ５０等が接続される。そして、前記主制御基板６０が２ｍｓごとに、これらに内蔵された各スイッチの遊技球検出状態あるいはボタン操作状態、又は測定値データを調べ、遊技球検出あるいは所定のボタン操作検出があると、その球検出信号あるいはボタン操作検出信号が波形整形回路により波形整形されて、前記主制御用中央制御装置ＣＰＵに入力され、その情報を前記記憶装置ＲＡＭに記憶する。また、該主制御基板６０の出力ポートには、盤面中継基板６１を介して電動式の前記入賞装置１７ａ〜１７ｃや前記演出用電動役物１８等が接続されており、前記主制御用中央制御装置ＣＰＵが所定の条件を選出した場合に、これらに内蔵されたソレノイドやモータを作動させる。
【００４４】
上記の演出制御基板６２には、パチンコ遊技機１で実行される演出全般を制御するための基板回路が設けられている。この基板回路は、演出を制御処理する演出制御用中央制御装置ＣＰＵに、多岐にわたる演出態様に関する固定データが格納されている記憶装置ＲＯＭと、必要なデータを読み書きできる記憶装置ＲＡＭと、入力ポート及び出力ポートとが接続されて構成されている。前記演出制御基板６２の出力ポートには、前記画像表示装置１４を制御する画像制御基板６５、音声演出を制御する音源制御基板６６、及びＬＥＤランプ（発光ダイオード）による演出を制御する光源制御基板６７が接続されている。そして、該演出制御基板６２は、前記主制御基板６０からの演出コマンドが入力ポートに入力されると、演出制御用中央制御装置ＣＰＵにおいて演算処理し、該演出コマンドで指示された演出態様を実行するために、画像制御基板６５、音源制御基板６６、及び光源制御基板６７へ向けて制御コマンドを送信する。
【００４５】
上記の画像制御基板６５には、前記画像表示装置１４や前記ヘッドアップディスプレイ式表示装置４０の表示器４１の表示態様を制御するための基板回路が設けられている。この基板回路は、表示態様を制御処理する画像制御用中央制御装置ＣＰＵに、その表示態様に関する固定データが格納されている記憶装置ＲＯＭと、必要なデータを読み書きできる記憶装置ＲＡＭと、入力ポート及び出力ポートとが接続されて構成されている。画像制御基板６５は、前記演出制御基板６２から入力ポートを介して入力されたデータ又はコマンドを前記画像制御用中央制御装置ＣＰＵにおいて演算処理し、所定の表示態様を表示するデータを画像表示装置１４や前記ヘッドアップディスプレイ式表示装置４０の表示器４１に出力する。
【００４６】
上記の音源制御基板６６には、スピーカから出力する演出用音声等を制御するための基板回路が設けられている。この基板回路は、音響を制御する音源制御用中央制御装置ＣＰＵに、動作プログラムや音声データ等の固定データが格納されている記憶装置ＲＯＭと、必要なデータを読み書きする記憶装置ＲＡＭと、入力ポート及び出力ポートとが接続されて構成されている。この音源制御基板６６は、上記の演出制御基板６２より入力ポートを介して入力されたデータ又はコマンドを音源制御用中央制御装置ＣＰＵで演算処理し、所定の音声データを出力ポートからスピーカに出力する。
【００４７】
上記の光源制御基板６７には、遊技機本体３に配設された多数の演出用ＬＥＤ１６、及び演出操作部２２の発光部２３に内蔵された発光部用ＬＥＤ２３Ａ等を制御するための基板回路が設けられている。この基板回路は、演出用ＬＥＤ１６等の点灯、点滅等を制御する光源制御用中央制御装置ＣＰＵに、動作プログラムや、演出用ＬＥＤ１６等を所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この光源制御基板６７は、光源制御用中央制御装置ＣＰＵで、上記の演出制御基板６２から入力ポートを介して入力されたデータ又はコマンドを演算処理し、所定の光データを、出力ポートを介して、演出用ＬＥＤ１６等を発光作動するドライバを配した光源作動基板に出力し、この光源作動基板が、各種の演出用ＬＥＤ１６等を点灯、点滅させる。
【００４８】
上記の図柄制御基板６３には、特別図柄表示装置１９を制御するための基板回路が設けられている。この基板回路は、特別図柄表示装置１９のＬＥＤの点灯、点滅等を制御する図柄制御用中央制御装置ＣＰＵに、動作プログラムや、ＬＥＤを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この図柄制御基板６３は、図柄制御用中央制御装置ＣＰＵで、上記の主制御基板６０から入力ポートを介して入力されたデータ又はコマンドを演算処理し、所定の光データを、出力ポートを介して、特別図柄表示装置１９のＬＥＤを発光作動するドライバを配した図柄作動基板に出力し、この図柄作動基板が、特別図柄表示装置１９のＬＥＤを点灯、点滅させる。
【００４９】
上記の払出制御基板６４には、遊技球の貸球や賞球等の払出しを制御するための基板回路が設けられている。この基板回路は、貸球ユニットや賞球ユニット等の各種ソレノイドを作動して、所定の貸球や賞球の供給を制御する払出制御用中央制御装置ＣＰＵに、動作プログラムや、貸球や賞球の球数パターン等の固定データが格納されている記憶装置ＲＯＭと、球数カウントデータ等の必要なデータを読み書きする記憶装置ＲＡＭと、入力ポート及び出力ポートとが接続されて構成されている。この払出制御基板６４は、主制御基板６０から入力されたデータ又はコマンドに従い、払出制御用中央制御装置ＣＰＵで演算処理し、所定のデータを、出力ポートを介して払出中継基板に送信し、このデータにより貸球ユニットや賞球ユニット等の各種ソレノイドを作動し、所定の貸球や賞球の払出しを実行する。また、払出制御基板６４は、遊技球の貸球を記憶したプリペイドカードの読み込みや書き込みを行う機外装置であるプリペイドカードユニットと、このプリペイドカードのデータ処理を中継するＣＲ接続基板を介して接続され、遊技球の残球データ等をやり取りする。
【００５０】
上記の発射制御基板６８には、発射装置を制御するための基板回路が設けられている。この基板回路は、動作プログラム等が格納されている記憶装置ＲＯＭと、入出力信号等を一時的に記憶する記憶装置ＲＡＭと、入力ポート及び出力ポートとが接続されて構成されている。発射制御基板６８の入力ポートには、発射ハンドル９に内蔵された回動角度検知センサから発射ハンドル９の現在角度に応じた電圧信号が入力される。発射制御基板６８の出力ポートには発射装置が接続されており、発射制御基板６８は、発射ハンドル９からの入力信号に応じた電圧強度で、発射装置に内蔵されたロータリーソレノイドを間欠的に駆動し、これにより発射ハンドル９の現在角度に応じた強さで遊技球を立て続けに打圧発射する。
【００５１】
また、上述のように、パチンコ遊技機１は、外部機器と信号を入出力するための外部端子基板６９を備えている。この外部端子基板６９は、主制御基板６０の出力ポートと接続されており、主制御基板６０が、各種の遊技情報を、外部端子基板６９を経由して機外に出力し得るようになっている。例えば、大当り発生時には、主制御基板６０は、大当り発生を示す大当り信号を機外に出力して、データ表示ユニット等に大当りの発生を報知する。また、外部端子基板６９は、音源制御基板６６の入力ポートとも接続されており、外部機器から入力される音声制御関連の信号を、外部端子基板６９を介して音源制御基板６６に送信し得るように構成されている。
【００５２】
以下に、図５に従って、本発明の要部にかかる湿度情報画像４６について説明する。
【００５３】
前記前枠５の密閉空間Ｘに配置された吸湿体Ｙは、吸湿効果を維持すべく、保守管理作業者によって適正時期に交換されるものである。したがって、保守管理作業者は、定期的に該前枠５を開放して、該吸湿体Ｙの交換時期を確認すべきところ、本実施例のパチンコ遊技機１にあっては、図５に示すように、前記湿度センサ５０で検知された密閉空間Ｘ内の湿度が、前記ヘッドアップディスプレイ式表示装置４０の表示器４１により、後側の透明板３０Ｂの裏面において湿度情報画像４６として表示される。例えば、そのときの湿度が具体的な数値で表示される構成が提案される。
【００５４】
さらに詳述すると、図４に示すように、前記湿度センサ５０で検出された湿度情報データは、盤面中継基板６１を介して主制御基板６０の記憶装置ＲＡＭに所定時間間隔で記憶保持される。なお、新しい湿度情報データが記憶保持される際は、古い湿度情報データに上書きされて順次更新される。そして、該主制御基板６０の記憶装置ＲＡＭに記憶保持された湿度情報データが、前記演出制御基板６２、及び前記画像制御基板６５を介して、前記ヘッドアップディスプレイ式表示装置４０の表示器４１に送信され、該表示器４１が該湿度情報データに基づき、これに対応する湿度情報画像４６を後側の透明板３０Ｂに表示する。
【００５５】
なお、前記湿度センサ５０が検出した湿度情報データを記憶保持する主制御基板６０の記憶装置ＲＡＭにより、本発明に係る湿度情報記憶保持手段が構成される。
【００５６】
また、前記主制御基板６０の記憶装置ＲＡＭに記憶保持された湿度情報データに基づき、前記ヘッドアップディスプレイ式表示装置４０の表示器４１を介して前記後側の透明板３０Ｂに湿度情報画像４６を表示させる制御内容を具備する主制御基板６０により、本発明に係る湿度情報画像表示手段が構成される。
【００５７】
上記構成とすることにより、保守管理作業者は、前枠５を開放して当該遊技機１の保守管理を行う際に、該前枠５の透明板３０Ａ，３０Ｂ間に形成された密閉空間Ｘ内の湿度が湿度情報画像４６として瞬時に確認することができるため、該保守管理作業者の作業負担は飛躍的に軽減され、また適切な時期に吸湿体Ｙを交換することが可能となる。
【００５８】
また、上記構成は、前枠５が閉鎖された遊技可能状態では、前記湿度情報画像４６等が遊技者にとって視認不能であるため、遊技者にとって不要な情報を遊技者の視界の中に入れてしまうことを防止できる。
【００５９】
なお、図５に示すように、上記湿度情報画像４６に加えて、吸湿体Ｙの交換時期を吸湿体情報画像４７として並べて表示するようにしてもよい。該吸湿体情報画像４７も、湿度情報画像４６と同様に、前記ヘッドアップディスプレイ式表示装置４０の表示器４１を介して前記後側の透明板３０Ｂに表示させる構成が好ましい。
【００６０】
以下、図６に従って、他の実施形態を説明する。
図６に示す構成は、前枠５の内周面上であって前記密閉空間Ｘ内に、ヘッドアップディスプレイ式表示装置４０の表示器４１が配置されている。さらに、該表示器４１は、該後側の透明板３０Ｂの表面にあらかじめ形成された反射部３５に、所定画像を表す表示光が照射できるようにあらかじめ設定されており、照射された該表示光が該反射部３５で反射することにより、前側の透明板３０Ｂ側にいる者（遊技者又は保守管理作業者）に対して、該画像を虚像として該透明板３０Ｂの表面に表示可能となっている。
【００６１】
かかる構成とすることにより、前枠が閉鎖された状態であっても保守管理作業者は当該遊技機１の前記密閉空間Ｘ内における湿度等を瞬時に知ることができる。このため、該密閉空間Ｘ内の湿度等の状況の確認のために前枠５を開放するという煩わしい作業が不要となる。なお、前記湿度情報画像４６等を表示する構成として、ヘッドアップディスプレイ式の構造を採用しているため、該湿度情報画像４６等が前記遊技領域１２の視認性を妨げたりすることがないため、パチンコ遊技機１の興趣性が十分に維持される。
【００６２】
さらに、以下、図７に従って、他の実施形態を説明する。
図７に示す構成は、前記演出操作部２２を用いて、湿度情報画像４６等の表示形態を変更可能とした構成である。さらに詳述すると、透明板３０Ｂの表面側から湿度情報画像４６等が表示されている状態で、前記演出操作部２２が操作されると該湿度情報画像４６等を非表示とし、一方、湿度情報画像４６が非表示の状態で、前記演出操作部２２が操作されると、該演出操作部２２が操作された時に対応する湿度を示す湿度情報画像４６等を表示する構成である。
【００６３】
具体的には、前記演出操作部２２の操作が、図４に示すように盤面中継基板６１を介して主制御基板６０に検知されると、該主制御基板６０は、前記ヘッドアップディスプレイ式表示装置４０の表示器４１による湿度情報画像４６等の表示状況を確認し、該湿度情報画像４６等が表示されている場合は該表示器４１を制御してこれを非表示とし、これに対して該湿度情報画像４６等が非表示である場合は、該演出操作部２２の操作時期に、主制御基板６０の記憶装置ＲＡＭに記憶保持されている湿度情報データに基づき、湿度情報画像４６等を表示するようにする。
【００６４】
かかる構成とすることにより、遊技者にとって不要であるが、保守管理作業者にとっては必要な湿度情報画像４６を、適切なタイミングで表示あるいは非表示とすることができる。したがって、例えば、遊技者が当該遊技機１を遊技している開店営業中は、遊技者にとって不要であるため湿度情報画像４６等を非表示とし、閉店後の簡易点検作業時に、湿度情報画像４６等を表示させて密閉空間Ｘ内の湿度の状況を保守管理作業者が確認するようにしてもよい。
【００６５】
なお、前記演出操作部２２の操作の有無を検知する主制御基板６０により、本発明に係る演出操作部検知手段が構成される。
【００６６】
また、後側の透明板３０Ｂに湿度情報画像４６等が表示されている状態で、前記演出操作部２２が操作されると該湿度情報画像４６等を非表示とし、一方、湿度情報画像４６が非表示の状態で、前記演出操作部２２が操作されると、該演出操作部２２が操作された時に対応する湿度情報画像４６等を表示する制御内容を具備する主制御基板６０により、本発明にかかる湿度情報画像表示手段が構成される。
【００６７】
なお、前記湿度情報画像４６、及び吸湿体情報画像４７としては、様々な内容が提案され得る。具体的に湿度情報画像４６及び吸湿体情報画像４７には、文字や絵柄が含まれるものとする。
【００６８】
なお、これまでに述べた本発明の実施例は、本発明の主旨を逸脱しない範囲で適宜設計変更することは勿論可能である。
【符号の説明】
【００６９】
１                    パチンコ遊技機
３                    遊技機本体
５                    前枠
１０                  遊技盤
２２                  演出操作部
３０Ａ，３０Ｂ        透明板
４０                  ヘッドアップディスプレイ式表示装置
４６                  湿度情報画像
４７                  吸湿体情報画像
５０                  湿度センサ（湿度検知部）
Ｘ                    密閉空間
Ｙ                    吸湿体
【図１】
0005689093.tif 000002
【図２】
0005689093.tif 000003
【図３】
0005689093.tif 000004
【図４】
0005689093.tif 000005
【図５】
0005689093.tif 000006
【図６】
0005689093.tif 000007
【図７】
0005689093.tif 000008